(57)【要約】【課題】フレームを有する液晶表示装置において、防塵ガラス等の露出領域を選択的に接地することで埃等の付着を効果的に防止できる液晶表示装置及びこれを組み込んだプロジェクターを提供すること。【解決手段】第１及び第２防塵板９３ａ，９３ｂの表面において、導電層９４ａ，９４ｂを形成した非表示領域Ａ１２，Ａ２２は、少なくとも一部にフレーム本体８２や固定部材８３から露出する露出部８１ｂを有するので、表示装置本体８１をフレーム本体８２と固定部材８３との間に挟んで固定した後であっても、表示領域Ａ１１，Ａ２１に形成された導電層９４ａ，９４ｂにつながる露出部８１ｂから、接地用の配線８６を簡易に引き出すことができる。つまり、フレームの取り付け後に露出部８１ｂを介して帯電防止用の接続部８５等を組み付けることができ、表示領域Ａ１１，Ａ２１の導電層９４ａ，９４ｂを選択的に接地することができる。【選択図】図１
2011191481.tif 000002
【特許請求の範囲】
【請求項１】
電界に応じて光学特性が変化する液晶層と、
前記液晶層への入射光と前記液晶層からの射出光との少なくとも一方を透過させる透光性部材と、
前記液晶層と前記透光性部材とを一体的に支持するフレームと、を備え、
前記透光性部材は、導電層を形成した表示領域と非表示領域とを表面に有し、
前記非表示領域は、少なくとも一部に前記フレームから露出する露出部を有する、
液晶表示装置。
【請求項２】
前記露出部の前記導電層に電気的に接続されて外部に導電する接続部をさらに備える、請求項１に記載の液晶表示装置。
【請求項３】
前記フレームは、前記露出部を露出させる切欠きを有する、請求項１及び請求項２のいずれか一項に記載の液晶表示装置。
【請求項４】
前記フレームは、前記非表示領域の外周側を保持し、
前記非表示領域のうち少なくとも内周側の露出した部分は、導電性反射層を有する、請求項１及び請求項２のいずれか一項に記載の液晶表示装置。
【請求項５】
前記透光性部材は、前記液晶層の光入射側と前記液晶層の光射出側とにそれぞれ設けられ、
光入射側に設けられた前記透光性部材の表面と、光射出側に設けられた前記透光性部材の表面とに、導電層が形成されている、請求項１から請求項４までのいずれか一項に記載の液晶表示装置。
【請求項６】
前記透光性部材は、前記液晶層を支持する光透過性の基板の外側に配置される防塵板である、請求項１から請求項５までのいずれか一項に記載の液晶表示装置。
【請求項７】
請求項１から請求項６までのいずれか一項に記載の液晶表示装置と、
前記液晶表示装置を照明する照明装置と、
前記液晶表示装置によって形成された画像を投射する投射光学系とを備えるプロジェクター。
【発明の詳細な説明】
【技術分野】
【０００１】
本発明は、画像を形成するため照明光を変調する液晶表示装置と、かかる液晶表示装置を組み込んだプロジェクターとに関する。
【背景技術】
【０００２】
従来の液晶表示装置又はプロジェクターとして、液晶を挟む一対の基板ガラスの表面に透過率の高い導電体層を付加し、この導電体層を接地することで表面電位を下げて、埃を付着させにくくしたものがある（特許文献１参照）。
【０００３】
また、別の液晶表示装置等として、一対の防塵ガラスの表面に透明導電膜を形成し、表裏の表示領域の外周であってフレームの陰の部分に枠状の導電部材を設け、これら導電部材をフレキシブルケーブルを介して電気的に接地するものがある（特許文献２参照）。
【０００４】
さらに別の液晶表示装置等として、液晶を挟む基板ガラス面に形成された導電膜を金属枠その他の導電性のフレームに接地するものがある（特許文献３、４参照）。
【先行技術文献】
【特許文献】
【０００５】
【特許文献１】特開平４−２６５９６１号公報
【特許文献２】特開２００４−２３３５０１号公報
【特許文献３】特開２０００−１４７４７０号公報
【特許文献４】特開２００２−１４４２１号公報
【発明の概要】
【発明が解決しようとする課題】
【０００６】
しかしながら、特許文献１のように導電体層を接地する方法では、液晶表示装置を全体として支持等するために不可欠となるフレームを設けた場合の接地方法について考慮されていない。
【０００７】
また、特許文献２のように枠状の導電部材をフレキシブルケーブルを介して接地する方法では、導電部材等を用いるために部品点数が多くなるという問題があり、また、フレームの取り付け前に導電部材等を取り付ける必要があり工程の自動化が難しくなるという問題がある。
【０００８】
また、特許文献３，４のようにフレームに導電性を持たせた場合、フレームも埃を吸着しなくなるが、むしろフレームに埃を吸着させることで、防塵ガラスの表面に付着する埃を抑える効果も期待できる。また、フレームの表面には、酸化防止コートを施す場合もあり、導電性の付加が容易でない場合もある。
【０００９】
そこで、本発明は、フレームを有する液晶表示装置において、防塵ガラス等の露出領域を選択的に接地することで埃等の付着を効果的に防止できる液晶表示装置及びこれを組み込んだプロジェクターを提供することを目的とする。
【課題を解決するための手段】
【００１０】
記課題を解決するため、本発明に係る液晶表示装置は、電界に応じて光学特性が変化する液晶層と、液晶層への入射光と液晶層からの射出光との少なくとも一方を透過させる透光性部材と、液晶層と透光性部材とを一体的に支持するフレームとを備え、透光性部材は、導電層を形成した表示領域と非表示領域とを表面に有し、非表示領域は、少なくとも一部にフレームから露出する露出部を有する。
【００１１】
上記液晶表示装置によれば、透光性部材の表面において、導電層を形成した非表示領域は、少なくとも一部にフレームから露出する露出部を有するので、液晶層と透光性部材とを含む表示装置本体をフレームに取り付けた後であっても、表示領域に形成された導電層につながる露出部から、接地用の配線を簡易に引き出すことができる。つまり、フレームの取り付け後に露出部を介して帯電防止用の接続部等の部品を組み付けることができ、表示領域の導電層を選択的に接地することができる。
【００１２】
また、本発明の具体的な態様又は側面によれば、上記液晶表示装置において、露出部の導電層に電気的に接続されて外部に導電する接続部をさらに備える。この場合、接続部を介して接地用の配線を引き出すことができ、帯電防止が容易となる。
【００１３】
本発明の別の側面によれば、フレームが、露出部を露出させる切欠きを有する。この場合、フレームの切欠きから接地用の配線を引き出すことができる。
【００１４】
本発明のさらに別の側面によれば、フレームは、非表示領域の外周側を保持し、非表示領域のうち少なくとも内周側の露出した部分は、導電性反射層を有する。この場合、導電性反射層を介して接地用の配線を引き出すことができる。
【００１５】
本発明のさらに別の側面によれば、透光性部材は、液晶層の光入射側と液晶層の光射出側とにそれぞれ設けられ、光入射側に設けられた透光性部材の表面と、光射出側に設けられた透光性部材の表面とに、導電層が形成されている。この場合、光透過型の液晶表示装置において、光入射側の透光性部材と光射出側の透光性部材との両表面に帯電が生じて埃等が付着することを防止できる。
【００１６】
本発明のさらに別の側面によれば、透光性部材は、液晶層を支持する光透過性の基板の外側に配置される防塵板である。この場合、防塵板の表面に埃等が付着することを防止でき、埃等が付着しても、防塵板の厚みによって埃等の影をぼかして目立たなくすることができる。
【００１７】
本発明に係るプロジェクターは、上述の液晶表示装置と、液晶表示装置を照明する照明装置と、液晶表示装置によって形成された画像を投射する投射光学系とを備える。
【００１８】
上記プロジェクターによれば、フレームの取り付け後に露出部を介して表示領域の導電層を選択的に接地して埃等の付着を効果的に防止できる液晶表示装置を備えるので、簡易に埃等の付着を防止して高画質の画像を長期間投射できる。
【図面の簡単な説明】
【００１９】
【図１】（Ａ）〜（Ｄ）は、それぞれ第１実施形態に係る液晶表示装置を説明する正面図、裏面図、下面図、及びＡＡ矢視断面図である。
【図２】（Ａ）及び（Ｂ）は、液晶表示装置を構成する表示装置本体の正面図及び裏面図である。
【図３】表示装置本体の構造を概念的に説明する拡大断面図である。
【図４】図１（Ａ）等に示す液晶表示装置を組み込んだプロジェクターの構造を概念的に説明する図である。
【図５】（Ａ）及び５（Ｂ）は、変形例の液晶表示装置を説明する正面図及び下面図である。
【図６】第２実施形態に係る液晶表示装置を説明する正面図及び裏面図である。
【発明を実施するための形態】
【００２０】
〔第１実施形態〕
以下、図１（Ａ）〜１（Ｄ）等を参照して、本発明の第１実施形態に係る液晶表示装置である透過型の液晶パネルついて説明する。
【００２１】
図１（Ａ）等に示すように、液晶パネル８０は、矩形の厚板状の外形を有し入射光を変調する表示装置本体８１と、矩形の枠状の外形を有し表示装置本体８１を周囲から保持するフレーム本体８２と、矩形の薄板状の外形を有し表示装置本体８１の組み付けに際してフレーム本体８２に固定される固定部材８３と、表示装置本体８１の表面８１ｅ及び裏面８１ｆを一括して接地するための接続部８５とを備える。ここで、表示装置本体８１は、フレーム本体８２の背面側に形成された段差部分８２ｓに嵌め込まれて周囲から支持され、このフレーム本体８２と、これに背面側から固定される固定部材８３とに挟まれて内部に安定して保持される。つまり、フレーム本体８２と固定部材８３とは、表示装置本体８１を内部に支持するためのフレームとして機能する。フレーム本体８２と固定部材８３との上側の隙間からは、表示装置本体８１から延びるフレキシブルケーブル８４が引き出されている。フレキシブルケーブル８４は、表示装置本体８１の動作を外部から制御するための信号線となっている。
【００２２】
なお、フレーム本体８２の外側のうち下側の一ヶ所には、矩形の切欠き８２ａが形成されており、表示装置本体８１の外縁部８１ａにおいて表面８１ｅの一部を露出させて露出部８１ｂを形成している。また、固定部材８３にも、フレーム本体８２の切欠き８２ａに対応して矩形の切欠き８３ａが形成されており、表示装置本体８１の外縁部８１ａにおいて裏面８１ｆの一部を露出させて露出部８１ｂを形成している。
【００２３】
図２（Ａ）に示すように、表示装置本体８１の表面８１ｅは、中央側に設けられた矩形の表示領域Ａ１１と、周辺側に設けられた枠状の非表示領域Ａ１２とに分けることができ、表示領域Ａ１１及び非表示領域Ａ１２を含めた表面８１ｅの全域が後述する導電層で被覆されている。なお、表示装置本体８１において、表示領域Ａ１１は、フレーム本体８２に形成された矩形の窓８２ｃに対応し、非表示領域Ａ１２は、外縁部８１ａにおける表面８１ｅに相当する。
【００２４】
図２（Ｂ）に示すように、表示装置本体８１の裏面８１ｆは、矩形の表示領域Ａ２１と枠状の非表示領域Ａ２２とに分けることができ、表示領域Ａ２１及び非表示領域Ａ２２を含めた裏面８１ｆの全域が後述する導電層で被覆されている。なお、表示装置本体８１において、表示領域Ａ２１は、固定部材８３に形成された矩形の窓８３ｃに対応し、非表示領域Ａ２２は、外縁部８１ａにおける裏面８１ｆに相当する。
【００２５】
図３に示すように、表示装置本体８１は、例えばＴＮモードで動作する液晶で構成される液晶層９１を挟んで、光入射側に透明な第１基板９２ａと、光射出側に透明な第２基板９２ｂとを備える。さらに、表示装置本体８１は、第１基板９２ａの光入射側に透明な第１防塵板９３ａと、第２基板９２ｂの光射出側に透明な第２防塵板９３ｂとを備える。
【００２６】
第１基板９２ａと第２基板９２ｂとは、例えば光透過性を有するガラス、石英等で形成されている。第１基板９２ａの液晶層９１側の面上には、透明な共通電極９５が設けられており、その上には、第１配向膜９６が形成されている。一方、第２基板９２ｂの液晶層９１側の面上には、マトリクス状に配置された複数の透明画素電極９７と、各透明画素電極９７に電気的に接続されている薄膜トランジスタ（不図示）とが設けられており、その上には、第２配向膜９８が形成されている。第１基板９２ａと共通電極９５との間には、各画素を区分するように格子状のブラックマトリクス９９が設けられている。
【００２７】
第１防塵板９３ａと第２防塵板９３ｂとは、例えば光透過性を有するガラス、石英等で形成された透光性部材である。第１防塵板９３ａの表側すなわち第１基板９２ａの反対側には、光透過性の導電層９４ａが形成されている。導電層９４ａは、例えばＩＴＯ（Indium Tin Oxide）導電性を有する材料（誘電体を含む）で形成され、第１防塵板９３ａを一様に被覆することにより、表示装置本体８１の表面８１ｅを形成している。第２防塵板９３ｂの表側すなわち第２基板９２ｂの反対側には、光透過性の導電層９４ｂが形成されている。この導電層９４ｂも、例えばＩＴＯで形成され、第２防塵板９３ｂを一様に被覆することにより、表示装置本体８１の裏面８１ｆを形成している。なお、これらの導電層９４ａ，９４ｂの下地として反射防止膜を成膜することもできる。
【００２８】
図１（Ａ）等に戻って、接続部８５は、金属製のバネを含むクリップや導電性のテープで形成され、表側の接合部８５ａにおいて露出部８１ｂに形成された表側の導電層９４ａに密着し、裏側の接合部８５ｂにおいて露出部８１ｂに形成された裏側の導電層９４ｂに密着する。表側の接合部８５ａと裏側の接合部８５ｂとを連結する中間部８５ｃには、接地用の配線８６が電気的に接続されている。配線８６の他端は、例えば液晶パネル８０を駆動するための回路基板のＧＮＤ線やＥＭＩシールド用の金属板等に接続される。これにより、導電層９４ａ，９４ｂが接地電位とされ、表示装置本体８１の表面８１ｅ及び裏面８１ｆに埃が付着することを防止できる。
【００２９】
液晶パネル８０の組み立てについて説明すると、まず表示装置本体８１を準備する。表示装置本体８１の防塵板９３ａ，９３ｂの表面には、予め接地用の導電層９４ａ，９４ｂが成膜されている。その後、切欠き８２ａを設けたフレーム本体８２と、切欠き８３ａを設けた固定部材８３との間に表示装置本体８１を挟んでフレーム本体８２と固定部材８３とを固定することにより、表示装置本体８１をフレーム本体８２及び固定部材８３からなるフレーム内に固定する。最後に、表裏の露出部８１ｂに接続部８５を接続する。
【００３０】
液晶パネル８０すなわち表示装置本体８１の基本的な動作について説明すると、光軸ＯＡに沿って表示装置本体８１に入射した光束Ｌは、第１防塵板９３ａ、第１基板９２ａ、液晶層９１、第２基板９２ｂ、及び第２防塵板９３ｂを順次通過する。光束Ｌは、液晶層９１を通過する際に、液晶層９１に印可された電界によって与えられた液晶層９１の光学特性によって偏光状態が変化し、例えば紙面に垂直な偏光方向から紙面に平行な偏光方向に変更される。よって、表示装置本体８１の光軸ＯＡに沿った光路上流側と光路下流側とにクロスニコルとなるように一対の偏光板を配置することで、光束Ｌの変調すなわち画像の形成が可能になる。
【００３１】
以下、図１（Ａ）等に示す液晶パネル８０を組み込んだプロジェクターについて説明する。
【００３２】
図４に示すように、プロジェクター１００は、照明装置１０と、色分離導光部４０と、光変調部５０と、色合成部６０と、投射光学系７０とを備える。
【００３３】
まず、照明装置１０は、光源ランプユニット２０と、均一化光学系３０とを含む。照明装置１０のうち、光源ランプユニット２０は、光源として、ランプ部２１ａと、凹レンズ２１ｂとを備える。このうち、ランプ部２１ａは、例えば高圧水銀ランプ等である発光管２２ａと、発光管２２ａから射出された光束を反射して前方に射出させる楕円面型の凹面鏡２２ｂとを備える。凹レンズ２１ｂは、ランプ部２１ａからの照明光束ＬＦをシステム光軸ＳＡに略平行にする役割を有するが、例えば凹面鏡２２ｂが放物面鏡である場合には、省略することもできる。
【００３４】
均一化光学系３０は、第１及び第２レンズアレイ３１，３２と、偏光変換部材３４と、重畳レンズ３６とを備える。このうち、第１レンズアレイ３１を構成する複数の要素レンズ３１ａによって、光源ランプユニット２０から射出された照明光束ＬＦが複数の部分光束に分割される。また、第２レンズアレイ３２を構成する複数の要素レンズ３２ａによって、第１レンズアレイ３１から入射した各部分光束が適当な発散角で偏光変換部材３４側に射出される。偏光変換部材３４は、ＰＢＳ、ミラー、１／２波長板等で構成されたプリズム状の偏光変換素子３４ａを配列したものであり、レンズアレイ３２から射出された照明光束ＬＦを特定方向の直線偏光のみに変換して次段光学系に供給する。重畳レンズ３６は、第２レンズアレイ３２から射出され偏光変換部材３４を経た照明光束ＬＦを全体として適宜収束させることにより、光変調部５０に設けた各色の液晶ライトバルブ５０ａ，５０ｂ，５０ｃに対する重畳照明を可能にする。
【００３５】
色分離導光部４０は、第１及び第２ダイクロイックミラー４１ａ，４１ｂと、反射ミラー４２ａ，４２ｂ，４２ｃと、３つのフィールドレンズ４３ａ，４３ｂ，４３ｃと、リレーレンズ４４ａ，４４ｂとを備え、照明装置１０から射出された照明光束ＬＦを赤（Ｒ）色、緑（Ｇ）色、及び青（Ｂ）色の３色に分離するとともに、各色光を後段の液晶ライトバルブ５０ａ，５０ｂ，５０ｃへ導く。より詳しく説明すると、まず、第１ダイクロイックミラー４１ａは、ＲＧＢの３色のうちＲ色の照明光ＬＲを反射しＧ色及びＢ色の照明光ＬＧ，ＬＢを透過させる。また、第２ダイクロイックミラー４１ｂは、ＧＢの２色のうちＧ色の照明光ＬＧを反射しＢ色の照明光束ＬＦを透過させる。つまり、第１ダイクロイックミラー４１ａで反射された赤色光ＬＲは、フィールドレンズ４３ａのある赤光路ＯＰ１に導かれ、第１ダイクロイックミラー４１ａを透過して第２ダイクロイックミラー４１ｂで反射された緑色光ＬＧは、フィールドレンズ４３ｂのある緑光路ＯＰ２に導かれ、第２ダイクロイックミラー４１ｂを通過した青色光ＬＢは、フィールドレンズ４３ｃのある青光路ＯＰ３に導かれる。各色用のフィールドレンズ４３ａ，４３ｂ，４３ｃは、第２レンズアレイ３２から射出され重畳レンズ３６等を通過して光変調部５０に入射する各部分光束が、各液晶ライトバルブ５０ａ，５０ｂ，５０ｃの被照射領域上において、システム光軸ＳＡに対して適当な収束度又は発散度となるように入射角を調節している。
【００３６】
光変調部５０は、照明光束ＬＦから分離された３色の照明光ＬＲ，ＬＧ，ＬＢによって照明される３つの光変調装置として、３色の照明光ＬＲ，ＬＧ，ＬＢがそれぞれ入射する３つの液晶ライトバルブ５０ａ，５０ｂ，５０ｃを備える。各液晶ライトバルブ５０ａ，５０ｂ，５０ｃは、中央に配置される液晶パネル５１ａ，５１ｂ，５１ｃと、これを挟むように配置される光路上流側の入射側偏光フィルター５２ａ，５２ｂ，５２ｃと、光路下流側の射出側偏光フィルター５３ａ，５３ｂ，５３ｃとをそれぞれ備えている。各液晶ライトバルブ５０ａ，５０ｂ，５０ｃにそれぞれ入射した各色光ＬＲ，ＬＧ，ＬＢは、各液晶ライトバルブ５０ａ，５０ｂ，５０ｃに電気的信号として入力された駆動信号或いは制御信号に応じて、画素単位で強度変調される。
【００３７】
ここで、各液晶パネル５１ａ，５１ｂ，５１ｃは、いずれも透過型の液晶パネルであり、図１（Ａ）等に示す液晶パネル８０と同一の構造を有する。なお、液晶パネル５１ａ，５１ｂ，５１ｃから延びる配線８６は、制御回路基板のＧＮＤ線、ＥＭＩシールド用の金属板、液晶ライトバルブ５０ａ，５０ｂ，５０ｃ等を固定する金属製の台座等とすることができる。
【００３８】
色合成部６０は、カラー画像を合成するためのクロスダイクロイックプリズムであり、その内部には、Ｒ光反射用の第１ダイクロイック膜６１と、Ｂ光反射用の第２ダイクロイック膜６２とが、平面視Ｘ字状に配置されている。この色合成部６０は、液晶ライトバルブ５０ａからの赤色光ＬＲを第１ダイクロイック膜６１で反射して進行方向右側に射出させ、液晶ライトバルブ５０ｂからの緑色光ＬＧを両ダイクロイック膜６１，６２を介して直進・射出させ、液晶ライトバルブ５０ｃからの青色光ＬＢを第２ダイクロイック膜６２で反射して進行方向左側に射出させる。
【００３９】
投射光学系７０は、投射レンズとして、色合成部６０で合成された画像光をスクリーン（不図示）上にカラー画像として投射する。
【００４０】
図５（Ａ）及び５（Ｂ）は、図１（Ａ）等に示す液晶パネル８０の変形例を説明する正面図及び下面図である。この液晶パネル１８０では、固定部材８３の導電性を利用しており、固定部材８３に切欠き８３ａを設けず、切欠き８３ａの位置に延在させた固定部材８３の突起部分８３ｐにネジ穴８３ｑを設けている。このネジ穴８３ｑには、導電材料製のネジ１８５が表側からねじ込まれている。つまり、ネジ１８５のヘッド部１８５ａは、表示装置本体８１の露出部８１ｂに形成された表側の導電層９４ａに密着しており、ネジ１８５の先端部１８５ｂは、固定部材８３の突起部分８３ｐを表示装置本体８１の裏側の導電層９４ｂに密着させている。結果的に、ネジ１８５を介して表示装置本体８１の表裏の導電層９４ａ，９４ｂが電気的に接続される。ネジ１８５からは、接地用の配線８６が延びており、例えば液晶パネル８０を駆動するための回路基板のＧＮＤ線やＥＭＩシールド用の金属板等に接続される。
【００４１】
以上のように、本実施形形態に係る液晶表示装置である液晶パネル１８０によれば、第１及び第２防塵板９３ａ，９３ｂの表面において、導電層９４ａ，９４ｂを形成した非表示領域Ａ１２，Ａ２２は、少なくとも一部にフレーム本体８２や固定部材８３から露出する露出部８１ｂを有するので、表示装置本体８１をフレーム本体８２と固定部材８３との間に挟んで固定した後であっても、表示領域Ａ１１，Ａ２１に形成された導電層９４ａ，９４ｂにつながる露出部８１ｂから、接地用の配線８６を簡易に引き出すことができる。つまり、フレームの取り付け後に露出部８１ｂを介して帯電防止用の接続部８５等を組み付けることができ、表示領域Ａ１１，Ａ２１の導電層９４ａ，９４ｂを選択的に接地することができる。
【００４２】
〔第２実施形態〕
以下、第２実施形態の液晶表示装置について説明する。なお、第２実施形態の液晶表示装置は、第１実施形態の液晶パネル８０を変形したものであり、特に説明しない部分は第１実施形態の液晶パネル８０と同様であるものとする。
【００４３】
図６（Ａ）及び６（Ｂ）は、第２実施形態に係る液晶表示装置である液晶パネル２８０を説明する正面図及び裏面図である。この場合、フレーム本体８２の窓２８２ｃと、固定部材８３の窓２８３ｃとがひとまわり大きく形成されており、非表示領域Ａ１２，Ａ２２が窓２８２ｃ，２８３ｃ内に露出している。つまり、フレーム本体８２や固定部材８３は、非表示領域Ａ１２，Ａ２２の外周側を支持し、非表示領域Ａ１２，Ａ２２の内周側を露出移させている。非表示領域Ａ１２，Ａ２２のうち露出した部分は、表示領域Ａ１１，Ａ２１の周囲にあって、矩形の縁領域Ａ１３，Ａ２３となっている。縁領域Ａ１３，Ａ２３は、図６（Ｃ）に一部拡大して示すように、導電層９４ａ，９４ｂの表面にＡｌ等の導電性反射膜８９を形成したものであり、不用光を反射するとともに、接地用の配線８６を接続することができる。なお、縁領域Ａ１３，Ａ２３の面積は、状況に応じて調整することができ、例えば表示領域Ａ１１，Ａ２１と縁領域Ａ１３，Ａ２３とをあわせて表示領域Ａ１１，Ａ２１の１．５倍程度の面積を露出させるものとできる。
【００４４】
以上実施形態に即して本発明を説明したが、本発明は、上記の実施形態に限られるものではなく、その要旨を逸脱しない範囲において種々の態様において実施することが可能であり、例えば次のような変形も可能である。
【００４５】
上記第１実施形態では、フレーム本体８２に切欠き８２ａを設け、固定部材８３に切欠き８３ａを設けて、表面８１ｅと裏面８１ｆとの双方に露出部８１ｂを形成しているが、表面８１ｅと裏面８１ｆとのいずれか一方にのみ露出部８１ｂを形成することもできる。同様に、第２実施形態においても、表面８１ｅと裏面８１ｆとのいずれか一方にのみ縁領域Ａ１３，Ａ２３を形成することができる。なお、表面８１ｅと裏面８１ｆとのいずれか一方の帯電を防止する場合、裏面８１ｆすなわち光出射側のみで帯電を防止することが望ましい。表示装置本体８１にゴミが付着した場合、黒表示時の回折によって画像が劣化するが、光入射側である表面８１ｅ上のゴミによる回折光は、光出射側である裏面８１ｆ上のゴミによる回折光よりも後段の光学系に取り込まれにくく目立たなくなる。また、表示装置本体８１がマイクロレンズアレイを備えるものである場合、光出射側で光束が広がるため、さらに光入射側である表面８１ｅ上のゴミによる回折光が目立たなくなる。さらに、マイクロレンズアレイによって表面８１ｅにピントが合いにくくなることも影響して、表面８１ｅ上のゴミは目立たなくなる。以上の事情から、裏面８１ｆすなわち光出射側を優先して接地を行うことが望ましい。
【００４６】
上記実施形態では、表示装置本体８１において、第１及び第２基板９２ａ，９２ｂの外側に第１及び第２防塵板９３ａ，９２ｂを設けているが、第１及び第２防塵板９３ａ，９２ｂを省略して第１及び第２基板９２ａ，９２ｂ上に導電層９４ａ，９４ｂを設け、その一部を露出部８１ｂとすることもできる。
【００４７】
フレーム本体８２に形成される切欠き８２ａや固定部材８３に形成される切欠き８３ａは、液晶パネル８０の下側に限らず、左側又は右側とすることもできる。なお、液晶パネル８０の上側には、フレキシブルケーブル８４が配置されるので一般的に露出用の切欠き８２ａ，８３ａを設けることは望ましくないが、例えば下側からフレキシブルケーブル８４を引き出す場合は、フレキシブルケーブル８４を避けて上側に露出用の切欠き８２ａ，８３ａを設けることもできる。
【００４８】
上記実施形態では、特に触れていないが、フレーム本体８２及び固定部材８３を導電層９４ａ，９４ｂ及び露出部８１ｂから絶縁して独立した電圧とすることができ、フレーム本体８２等に埃を集めることもできる。
【００４９】
上記実施形態では、透過型の液晶パネル８０，１８０，２８０について説明したが、本発明は、反射型の液晶パネルにも適用することが可能である。ここで、「透過型」とは、液晶パネルが光を透過するタイプであることを意味しており、「反射型」とは、液晶パネルが光を反射するタイプであることを意味している。反射型の液晶パネルの場合、第２基板９２ｂ側にミラーが形成され、照明光も変調光も第１基板９２ａと第１防塵板９３ａとを通過することになる。この場合、第１防塵板９３ａの表面８１ｅに導電層９４ａを設け、この導電層９４ａに接続部８５を圧着するように固定する。
【００５０】
上記実施形態のプロジェクター１００では、光源ランプユニット２０からの光を複数の部分光束に分割するため、一対のレンズアレイ３１，３２を用いていたが、このようなレンズアレイに代えてロッドインテグレーターを用いることができる。
【００５１】
また、上記実施形態のプロジェクター１００では、光源ランプユニット２０等からの光を特定方向の偏光とする偏光変換部材３４を用いていたが、この発明は、このような偏光変換部材３４を用いないプロジェクターにも適用可能である。また、光源ランプユニット２０は、発光管２２ａに限らず、ＬＥＤ等で構成することができる。
【００５２】
また、プロジェクターとしては、投射面を観察する方向から画像投射を行う前面投射型のプロジェクターと、投射面を観察する方向とは反対側から画像投射を行う背面投射型のプロジェクターとがあるが、図１等に示すプロジェクター１００の構成は、いずれにも適用可能である。
【００５３】
また、上記実施形態では、３つの液晶ライトバルブ５０ａ，５０ｂ，５０ｃを用いたプロジェクター１００の例のみを挙げたが、本発明は、１つ又は２つのライトバルブを用いたプロジェクター、４つ以上のライトバルブを用いたプロジェクターにも適用可能である。
【符号の説明】
【００５４】
１０…照明装置、  ３０…均一化光学系、  ３４…偏光変換部材、  ３４ａ…偏光変換素子、  ３６…重畳レンズ、  ４０…色分離導光部、  ４１ａ，４１ｂ…第１，第２ダイクロイックミラー、  ５０…光変調部、  ５０ａ，５０ｂ，５０ｃ…液晶ライトバルブ、  ５１ａ，５１ｂ，５１ｃ…液晶パネル、  ５２ａ，５２ｂ，５２ｃ…入射側偏光フィルター、  ５３ａ，５３ｂ，５３ｃ…射出側偏光フィルター、  ６０…色合成部、  ７０…投射光学系、  ８０，１８０，２８０…液晶パネル、  ８１…表示装置本体、  ８１ａ…外縁部、  ８１ｂ…露出部、  ８１ｅ…表面、  ８１ｆ…裏面、  ８２…フレーム本体、  ８２ｃ…窓、  ８３…固定部材、  ８３ｃ…窓、  ８４…フレキシブルケーブル、  ８５…接続部、  ８６…配線、  ８９…導電性反射膜、  ９１…液晶層、  ９２ａ，９２ｂ…第１，第２基板、  ９３ａ，９３ｂ…第１，第２防塵板、  ９４ａ，９４ｂ…導電層、  ９５…共通電極、  ９７…透明画素電極、  １００…プロジェクター、  Ａ１１，Ａ２１…表示領域、  Ａ１２，Ａ２２…非表示領域、  Ａ１３，Ａ２３…縁領域、  Ｌ…光束、  ＬＦ…照明光束
【図１】
2011191481.tif 000003
【図２】
2011191481.tif 000004
【図３】
2011191481.tif 000005
【図４】
2011191481.tif 000006
【図５】
2011191481.tif 000007
【図６】
2011191481.tif 000008